(57)【要約】      （修正有）【課題】つけまつげを付けた状態を容易に確認することができる試着ツールを提供する。【解決手段】つけまつげの試着に用いられる試着ツール１であって、使用者によって保持されるグリップ部１１と、つけまつげの基端部を支持し、グリップ部から延びる棒状の支持部１２とを有する。支持部は、眼を開いたときのつけまつげの装着ラインに沿って延びている。【選択図】図１
0003170596.tif 000002
【実用新案登録請求の範囲】
【請求項１】
つけまつげの試着に用いられる試着ツールであって、
使用者によって保持されるグリップ部と、
前記つけまつげの基端部を支持し、前記グリップ部から延びる棒状の支持部と、を有し、
前記支持部は、眼を開いたときの前記つけまつげの装着ラインに沿って延びていることを特徴とする試着ツール。
【請求項２】
前記グリップ部は、平板状に形成されていることを特徴とする請求項１に記載の試着ツール。
【請求項３】
前記グリップ部の幅は、前記支持部の幅よりも広いことを特徴とする請求項１又は２に記載の試着ツール。
【請求項４】
前記グリップ部は、前記支持部を含む平面に対して交差する方向に延びていることを特徴とする請求項１から３のいずれか１つに記載の試着ツール。
【請求項５】
前記支持部は、三次元方向に曲げ形成されていることを特徴とする請求項１から４のいずれか１つに記載の試着ツール。
【請求項６】
前記支持部は、黒色を有することを特徴とする請求項１から５のいずれか１つに記載の試着ツール。
【請求項７】
前記支持部は、前記つけまつげの基端部が挿入される溝を有することを特徴とする請求項１から６のいずれか１つに記載の試着ツール。
【請求項８】
前記溝は、前記つけまつげの基端部が取り付けられる傾斜面を含むことを特徴とする請求項７に記載の試着ツール。
【請求項９】
前記支持部の先端において、球状部を有することを特徴とする請求項１から８のいずれか１つに記載の試着ツール。
【請求項１０】
前記球状部の幅は、前記支持部の幅よりも広いことを特徴とする請求項９に記載の試着ツール。
【考案の詳細な説明】
【技術分野】
【０００１】
本考案は、つけまつげを試着するときに用いられる試着ツールに関するものである。
【背景技術】
【０００２】
つけまつげには、長さや色、毛の密度やカールの程度などの違いにより、さまざまな種類がある。これらのつけまつげは、これ自体が包装された状態で店頭に置かれている。
【０００３】
つけまつげの購入者は、包装されたつけまつげを見た上で、自分に似合いそうなつけまつげを選択している。すなわち、購入者は、つけまつげが装着された状態を想像した上で、つけまつげを選択している。
【考案の概要】
【考案が解決しようとする課題】
【０００４】
つけまつげを購入するときには、つけまつげが装着された状態を想像するだけであるため、実際につけまつげを装着したときに、購入者は、つけまつげが不似合いであることに気付くこともある。
【０００５】
そこで、本考案の目的は、つけまつげの購入者（使用者）が、つけまつげを選択するときに、つけまつげを装着した状態を容易に確認することができる試着ツールを提供するものである。
【課題を解決するための手段】
【０００６】
本考案は、つけまつげの試着に用いられる試着ツールであって、使用者によって保持されるグリップ部と、つけまつげの基端部を支持し、グリップ部から延びる棒状の支持部と、を有する。支持部は、眼を開いたときのつけまつげの装着ラインに沿って延びている。
【０００７】
グリップ部は、平板状に形成することができる。グリップ部を平板状に形成することにより、試着ツールの使用者は、グリップ部を保持しやすくなる。また、使用者がグリップ部を保持したときに、試着ツールに取り付けられるつけまつげの向きを所定の状態に維持することができる。
【０００８】
グリップ部の幅は、支持部の幅よりも広くすることができる。これにより、使用者がグリップ部を保持しやすくなる。また、グリップ部に対して、ブランドロゴを形成したり、つけまつげに関する情報が記載されたシールを貼り付けたりするためのスペースを確保することができる。
【０００９】
グリップ部は、支持部を含む平面に対して交差する方向に延ばすことができる。これにより、試着ツールを使用するときに、使用者の顔に沿った状態で試着ツールを位置させることができる。
【００１０】
支持部は、三次元方向に曲げ形成することができる。支持部は、使用者の眼に沿って配置されるものであり、眼の周囲は、三次元の形状を有している。したがって、支持部を三次元方向に曲げ形成すれば、使用者の眼に沿って支持部を配置させやすくなる。
【００１１】
支持部は、黒色とすることができる。支持部の材料として、黒色の材料を用いるときには、この材料を用いて支持部を形成すればよい。支持部の材料として、黒色ではない材料を用いるときには、この材料を用いて支持部を形成するときに、黒色に着色すればよい。支持部を黒色とすれば、支持部に対して、アイラインの効果を持たせることができる。
【００１２】
支持部には、つけまつげの基端部が挿入される溝を形成することができる。これにより、溝を用いて、つけまつげを支持部に容易に取り付けることができる。溝には、つけまつげの基端部が取り付けられる傾斜面を含ませることができる。これにより、つけまつげを溝に取り付けるときに、傾斜面に沿ってつけまつげの基端部を配置させることができる。
【００１３】
支持部の先端には、球状部を設けることができる。これにより、試着ツールを使用するときの安全性を確保することができる。球状部の幅は、支持部の幅よりも広くすることができる。
【考案の効果】
【００１４】
つけまつげの購入者（使用者）は、本考案の試着ツールを用いて、自分の眼につけまつげを合わせることにより、つけまつげを装着した状態を容易に確認することができる。
【図面の簡単な説明】
【００１５】
【図１】実施例１である試着ツールの外観を示す斜視図である。
【図２】実施例１である試着ツールの上面図である。
【図３】実施例１である試着ツールの下面図である。
【図４】図３のＢ−Ｂ断面図である。
【図５】図２のＡ−Ａ断面図である。
【図６】実施例１において、つけまつげが取り付けられた試着ツールの外観を示す斜視図である。
【図７】実施例１である試着ツールの使用状態を示す図である。
【図８】実施例１である試着ツールの使用状態を示す図である。
【図９】比較例である試着ツールを用いて、つけまつげの向きを変更するときの球状部の変位を説明する図である。
【図１０】比較例である試着ツールを用いたときの球状部の変位量を説明する図である。
【図１１】実施例１である試着ツールを用いて、つけまつげの向きを変更するときの球状部の変位を説明する図である。
【図１２】実施例１である試着ツールを用いたときの球状部の変位量を説明する図である。
【考案を実施するための形態】
【実施例１】
【００１６】
本考案の実施例１である試着ツールについて説明する。図１は、試着ツールの外観を示す斜視図であり、図２および図３は、試着ツールの上面図および下面図である。
【００１７】
試着ツール１は、つけまつげが装着されるツールである。つけまつげは、この特徴に応じて複数種類が用意されている。複数種類のつけまつげのそれぞれを、試着ツール１に装着することができる。試着ツール１は、例えば、金属や樹脂で形成することができる。
【００１８】
試着ツール１は、棒状の部材として構成されており、グリップ部１１と、支持部１２と、球状部１３と、延長部１４とを有する。グリップ部１１、支持部１２、球状部１３および延長部１４は、一体的に形成されている。グリップ部１１は、試着ツール１の長手方向における一端側に位置しており、支持部１２は、試着ツール１の長手方向における他端側に位置している。
【００１９】
グリップ部１１は、使用者が試着ツール１を使用するときに、使用者によって保持される部分である。グリップ部１１は、平板状に形成されている。すなわち、グリップ部１１の幅Ｗ１１は、グリップ部１１の厚さＴ１１よりも大きくなっている。グリップ部１１を平板状に形成することにより、使用者は、グリップ部１１を保持しやすくなるとともに、使用者がグリップ部１１を保持したときに、試着ツール１を所望の姿勢に維持させやすくなる。
【００２０】
グリップ部１１の形状は、平板形状に限るものではなく、他の形状であってもよい。例えば、グリップ部１１を円柱状に形成することもできる。ここで、本実施例のように、グリップ部１１を平板状に形成することにより、使用者は、グリップ部１１を保持し易くなる。
【００２１】
グリップ部１１の幅は、支持部１２に向かうにつれて狭くなっている。グリップ部１１には、図２に示すように、ブランドロゴ１１ａが形成されている。ブランドロゴ１１ａとは、試着ツール１に装着されるつけまつげに関するブランドである。本実施例において、ブランドロゴ１１ａは、グリップ部１１を彫ることによって形成されているが、これに限るものではない。例えば、ブランドロゴが記載されたシールをグリップ部１１に貼り付けるだけでもよい。
【００２２】
また、図３に示すように、ブランドロゴ１１ａが形成された面とは反対側の面には、シール貼り付け部１１ｂが設けられている。図４に示すように、シール貼り付け部１１ｂは、溝として構成されており、溝の底面にシール（不図示）を貼り付けることができる。図４は、図３のＢ−Ｂ断面図である。
【００２３】
シールには、試着ツール１に装着された、つけまつげに関する情報が記載されている。つけまつげに関する情報とは、つけまつげを特定するための情報であり、例えば、つけまつげの品番がある。つけまつげの品番は、つけまつげの長さ、色、毛の密度、カール状態に応じて、互いに異なる。シールに記載された情報を確認すれば、試着ツール１に装着されたつけまつげを特定することができる。
【００２４】
グリップ部１１には、グリップ部１１を貫通する貫通孔１１ｃが形成されている。貫通孔１１ｃは、試着ツール１をフックに掛けるために用いられたり、紐を通すために用いられたりする。具体的には、貫通孔１１ｃにフックを通すことにより、試着ツール１をフックに引っ掛けることができる。また、貫通孔１１ｃに紐を通して、紐の両端を結ぶことにより、ループ形状の紐をフックに引っ掛けることができる。
【００２５】
貫通孔１１ｃを設ける位置は、適宜設定することができる。ここで、本実施例のように、試着ツール１の一端側に貫通孔１１ｃを設ければ、上述した貫通孔１１ｃの使い方において、試着ツール１をフックに掛けやすくなる。
【００２６】
本実施例では、グリップ部１１および支持部１２の間に、試着ツール１の長さを確保するための延長部１４を設けている。ここで、延長部１４の長さは、試着ツール１の使いやすさなどを考慮して適宜設定することができる。また、延長部１４は、省略することもできる。
【００２７】
図１に示すように、支持部１２は、図１の上側に凸となるように屈曲している。言い換えれば、支持部１２は、グリップ部１１を含む平面（仮想平面）に対して、図１の上側に凸となるように屈曲している。図１に示す矢印Ｒ１は、二次元平面内における支持部１２の屈曲率を示している。ここでいう二次元平面は、グリップ部１１を含む平面と直交する平面である。支持部１２の屈曲率は、使用者が眼を開けたときのまつげのラインに基づいて設定される。まつげのラインは、予め定められた標準的な人間における、まつげのラインである。
【００２８】
また、図２および図３に示すように、支持部１２は、試着ツール１の中心線Ｌに対して片側に屈曲している。図２および図３に示す矢印Ｒ２は、二次元平面内における支持部１２の屈曲率を示している。ここでいう二次元平面は、グリップ部１１を含む平面であり、図１に示す矢印Ｒ１における二次元平面とは異なる平面である。
【００２９】
人間のまつげのラインは、二次元平面内で屈曲しているのではなく、三次元方向（矢印Ｒ１，Ｒ２）において屈曲している。この点を考慮して、支持部１２の形状を設定している。
【００３０】
支持部１２には、支持部１２の長手方向に延びる溝１２ａが形成されている。支持部１２の長手方向における溝１２ａの長さは、適宜設定することができる。すなわち、溝１２ａの長さは、つけまつげを取り付けることができる長さであればよい。
【００３１】
溝１２ａには、つけまつげの基端部が固定される。例えば、接着剤を用いることにより、つけまつげの基端部を溝１２ａに取り付けることができる。溝１２ａを設けることにより、つけまつげを支持部１２に容易に取り付けることができる。つけまつげを溝１２ａから剥がせば、他のつけまつげを溝１２ａに取り付けることができる。
【００３２】
本実施例では、支持部１２（溝１２ａ）に対して、つけまつげを着脱可能としているが、つけまつげが支持部１２から外れないように固定しておくこともできる。この場合には、種類の異なるつけまつげの数に応じた数だけ、試着ツール１を用意しておく必要がある。
【００３３】
図５には、図２のＡ−Ａ断面図を示す。図５に示すように、溝１２ａは、支持部１２の中心Ｃからずれた位置に設けられている。すなわち、溝１２ａは、図２に示すように、支持部１２の外径側に設けられている。
【００３４】
これにより、つけまつげが取り付けられた支持部１２を使用者の眼に沿って配置したときに、使用者の眼から離れる方向につけまつげが延びるようになる。すなわち、つけまつげを実際に使用した状態と同様の状態とすることができる。
【００３５】
ここで、支持部１２の色は、黒色とすることが好ましい。また、試着ツール１のうち、支持部１２を除く部分は、透明であることが好ましい。具体的には、略透明な試着ツール１を形成しておき、支持部１２を黒色で着色することができる。支持部１２を黒色とすることにより、支持部１２をアイラインとして用いることができる。これにより、使用者は、アイライン（化粧）も含めて、つけまつげを装着した状態を確認することができる。
【００３６】
溝１２ａは、２つの傾斜面１２ａ１，１２ａ２によって構成されている。傾斜面１２ａ１，１２ａ２によって挟まれる角度θは、例えば、３０〜４５度の範囲内で設定することができる。つけまつげの基端部は、溝１２ａの傾斜面１２ａ１に沿って配置される。図５の左右方向に関して、傾斜面１２ａ１は、傾斜面１２ａ２よりも支持部１２の外径側に位置している。
【００３７】
本実施例では、２つの傾斜面１２ａ１，１２ａ２によって溝１２ａを構成しているが、これに限るものではない。すなわち、溝１２ａは、傾斜面１２ａ１を有していればよく、溝１２ａのうち、傾斜面１２ａ１を除く領域は、適宜設定することができる。本実施例では、支持部１２に溝１２ａを形成しているが、溝１２ａを省略することもできる。この場合には、支持部１２の外面に、つけまつげを取り付けるようにすればよい。
【００３８】
試着ツール１（支持部１２）の先端には、球状部１３が設けられている。球状部１３は、試着ツール１を使用するときに、試着ツール１の先端が使用者の顔を傷つけてしまうのを阻止するために設けられている。本実施例において、球状部１３は、球体に沿った形状に形成されているが、これに限るものではなく、凸状の曲面を有していればよい。試着ツール１を使用するとき、使用者の目頭に対応した位置に、球状部１３が位置する。
【００３９】
球状部１３の幅（直径に相当する）は、支持部１２の幅よりも広くなっている。なお、球状部１３の幅は、支持部１２の幅と等しくすることもできる。また、本実施例では、球状部１３が支持部１２と一体的に形成されているが、これに限るものではない。具体的には、球状部１３に相当する部材（球状部材という）を用意しておき、球状部材を支持部１２の先端に取り付けることもできる。ここで、支持部１２の先端が挿入される溝を、球状部材に形成しておけばよい。
【００４０】
図６には、つけまつげ２０の基端部を溝１２ａに固定した状態を示している。また、図７および図８には、つけまつげ２０が取り付けられた試着ツール１を、使用者が使用しているときの状態を示している。
【００４１】
図８に示す点線Ｈは、顔の輪郭を示しており、領域Ｈ１１は、眼に相当し、領域Ｈ１２は、鼻に相当する。図８に示すように、試着ツール１を使用するとき、グリップ部１１は、支持部１２よりも後方に位置している。本実施例では、図２および図３を用いて説明したように、支持部１２は、矢印Ｒ２で示す曲率を有している。このため、グリップ部１１は、支持部１２よりも後方に位置することになる。
【００４２】
図７に示すように、使用者は、試着ツール１を使用することにより、試着ツール１に取り付けられたつけまつげ２０を、自分の顔に合わせて確認することができる。具体的には、使用者は、鏡を用いることにより、つけまつげ２０を装着した状態を確認することができる。ここで、グリップ部１１を回転させれば、つけまつげ２０の向きを変更することができ、つけまつげ２０の向きを確認することもできる。
【００４３】
本実施例では、上述したように、支持部１２が三次元方向で曲率（矢印Ｒ１，Ｒ２の曲率）を有している。このように支持部１２を曲げ形成することにより、グリップ部１１を回転させたときに、球状部１３が使用者の顔から離れてしまうのを抑制することができる。この点に関して、以下に説明する。
【００４４】
図９は、比較例としての試着ツールの構造を示す概略図である。ここで、本実施例で説明した部材と同一の機能を有する部材については、同一符号を用いている。図９（Ａ）は、試着ツール１の側面図である。図９（Ｂ）は、試着ツール１の上面図であり、図２に対応した図である。
【００４５】
図９に示す試着ツール１では、支持部１２が二次元平面内だけで曲率を有している。グリップ部１１を回転させると、球状部１３が顔から離れる方向に変位してしまう。グリップ部１１を回転させて、つけまつげの向きを変更するとき、支持部１２の領域Ｅは固定されることが多い。領域Ｅが固定された状態において、試着ツール１を回転軸ＲＡ１の周りで回転させると、球状部１３は、矢印Ｍ１の方向に変位する。矢印Ｍ１の方向は、使用者の顔から離れる方向である。図１０には、球状部１３が矢印Ｍ１の方向に変位したときの変位量Ｄ１を示す。
【００４６】
図１１は、本実施例である試着ツールの構造を示す概略図である。図１１（Ａ）は、試着ツールの側面図である。図１１（Ｂ）は、試着ツールの上面図であり、図２，図３および図８に相当する図である。
【００４７】
本実施例の試着ツール１では、グリップ部１１を回転させても、球状部１３が顔から離れ難くすることができる。試着ツール１を回転軸ＲＡ２の周りで回転させると、球状部１３は、回転軸ＲＡ２を回転中心とした移動軌跡に沿って移動することになる。ここで、球状部１３の変位量は、図１１（Ｂ）の左右方向における成分（変位量）と、図１１（Ｂ）の上下方向における成分（変位量）とを合成したものとなる。言い換えれば、球状部１３の変位量は、２つの成分に分散させることができる。
【００４８】
支持部１２の領域Ｅが固定された状態でも、球状部１３は、矢印Ｍ２の方向に変位するが、上述したように、球状部１３の変位量が２つの方向に分散されるために、矢印Ｍ２方向の変位量は、図９，１０に示す矢印Ｍ１方向の変位量よりも小さくすることができる。図１２には、球状部１３が矢印Ｍ２の方向に変位したときの変位量Ｄ２を示す。比較例および本実施例の試着ツール１を同様に回転させたとき、変位量Ｄ２は、図１０に示す変位量Ｄ１よりも小さくなる。このように、グリップ部１１を回転させたときに、球状部１３が顔から離れ難くすることにより、球状部１３が顔から離れることによる違和感を低減することができる。
【符号の説明】
【００４９】
１：試着ツール
１１：グリップ部
１１ａ：ブランドロゴ
１１ｂ：シール貼り付け部
１１ｃ：貫通孔
１２：支持部
１２ａ：溝
１２ａ１，１２ａ２：傾斜面
１３：球状部
２０：つけまつげ
【図１】
0003170596.tif 000003
【図２】
0003170596.tif 000004
【図３】
0003170596.tif 000005
【図４】
0003170596.tif 000006
【図５】
0003170596.tif 000007
【図６】
0003170596.tif 000008
【図７】
0003170596.tif 000009
【図８】
0003170596.tif 000010
【図９】
0003170596.tif 000011
【図１０】
0003170596.tif 000012
【図１１】
0003170596.tif 000013
【図１２】
0003170596.tif 000014